(57)【要約】【課題】カラープリンタを較正する。【解決手段】カラープリンタを作動させる方法であって、入力カラーデータを、所定のカラー・テーブルを用いて、非ブラック原色を含むプリンタのカラー・スペースの原色に変換するステップと、プリンタが第１の解像度モードで動作する場合に、第１組の１次元ＴＲＣｓを用いて非ブラック原色を調整するステップと、プリンタが第２の解像度モードで動作する場合に、第２組の１次元ＴＲＣｓを用いて非ブラック原色を調整するステップと、を含み、所定のカラー・テーブルは、プリンタが第１解像度モード及び前記第２解像度モードにおいて動作するときに用いられる方法。【選択図】図３
2006341605.tif 000002
【特許請求の範囲】
【請求項１】
カラープリンタを作動させる方法であって、
入力カラーデータを、所定のカラー・テーブルを用いて、非ブラック原色を含むプリンタのカラー・スペースの原色に変換するステップと、
前記プリンタが第１の解像度モードで動作する場合に、第１の１次元ＴＲＣｓの組を用いて前記非ブラック原色を調整するステップと、
前記プリンタが第２の解像度モードで動作する場合に、第２の１次元ＴＲＣｓの組を用いて前記非ブラック原色を調整するステップと、
を含み、
前記所定のカラー・テーブルは、前記プリンタが前記第１解像度モード及び前記第２解像度モードにおいて動作するときに用いられる方法。
【請求項２】
第１の１次元ＴＲＣｓの組を用いて前記非ブラック原色を調整する前記ステップが、グレーバランス化関連原色ＴＲＣｓを含む１次元ＴＲＣｓの第１の組を用いて前記非ブラック原色を調整することからなる請求項１に記載の方法。
【請求項３】
第１の１次元ＴＲＣｓの組を用いて前記非ブラック原色を調整する前記ステップが、主成分関連原色ＴＲＣｓを含む１次元ＴＲＣｓの第１の組を用いて前記非ブラック原色を調整することからなる請求項１に記載の方法。
【請求項４】
第１の１次元ＴＲＣｓの組を用いて前記非ブラック原色を調整する前記ステップが、２次色関連原色ＴＲＣｓを含む１次元ＴＲＣｓの第１の組を用いて前記非ブラック原色を調整することからなる請求項１に記載の方法。
【発明の詳細な説明】
【技術分野】
【０００１】
この開示は、全体的にカラー印刷に向けられる。
【背景技術】
【０００２】
カラープリンタは、典型的には、色のスペクトルを発生させるために複数の異なる原色のインクを用いる。例えば、多くのカラープリンタは、シアン（Ｃ），マゼンタ（Ｍ），イエロー（Ｙ），及びブラック（Ｋ）の４色のインクを用いる。カラー画像は、Ｃ，Ｍ，Ｙ又はＫインクのゼロ又はそれ以上のドットの組み合わせを各ピクセルの位置に配置することによって、受け取り基板又は媒体の上に形成される。シアン、マゼンタ及びイエローは、これらのインクの種々の組み合わせによって広範囲の色が生成できるので、典型的に用いられる。
【発明の開示】
【発明が解決しようとする課題】
【０００３】
カラープリンタを較正することは困難である。
【発明を実施するための最良の形態】
【０００４】
図１は、例えばホストコンピュータから印刷データを受け取り、該印刷データをバッファメモリ３３に保存するインターフェース３１を有する印刷装置の一実施形態の概略的なブロック図である。プロセッサ３５は、印刷データを処理してメモリ３７に保存されるビットマップ方式のラスタデータを作成するように設定されている。印刷エンジン３９は、プロセッサ３５によって作成されたビットマップ・ラスタデータに従って、画像を印刷する。印刷エンジン３９は、例えば、電子写真印刷エンジンか、又はインクジェット印刷エンジンとすることができる。
【０００５】
図２は、カラープリンタのための画像処理パイプラインの一部の実施形態のブロック図である。１１１において、入力カラーデータが、例えばカラー・テーブルを用いて、シアン、マゼンタ、イエロー及びブラックの原色を用いるＣＭＹＫなどのプリンタのカラー・スペースに変換される。１１３においては、プリンタの原色データに対してグレー成分の置換が行われ、その際ある量の非ブラック原色がブラックにより置き換えられる。１１５においては、もしプリンタが第１の解像モードで動作しているならば、非ブラック原色は１次元の色調再現曲線（ＴＲＣｓ）の第１組を用いて調整され、ブラック原色は第１の１次元ブラック色調再現曲線を用いて調整される。１１６においては、もしプリンタが第２の解像モードで動作しているならば、非ブラック原色は１次元の色調再現曲線（ＴＲＣｓ）の第２組を用いて調整され、ブラック原色は第２の１次元ブラック色調再現曲線を用いて調整される。このように、プリンタが第１解像モード又は第２解像モードのいずれにおいて操作されているときも、同じカラー・テーブルが用いられる。例示的実施例として、１次元ＴＲＣｓの各セットは、ここにさらに開示されるように、グレーバランス化関連の原色ＴＲＣｓと、原色成分関連の原色ＴＲＣｓと、２次色関連の原色ＴＲＣｓとを含むことができる。１１９においてハーフトーン化が実行され、１２１において印刷が行われる。開示される実施形態において用いられる１次元ＴＲＣｓは、例えば１次元ルックアップ・テーブルとして組み込むことができる。
【０００６】
１１５、１１６及び１１７における調整は、例えば、プリント装置の較正に用いることができる。参照を簡単にするために、ここに開示される実施形態は、Ｃ，Ｍ，Ｙ，Ｋの原色を用いる。
【０００７】
図３は、各非ブラック原色に関する複数の１次元ＴＲＣｓを用いて、１１５及び１１６（図２）においてＣＭＹなどの非ブラック原色値を調整するために使用できる手順の実施形態に関する概略の流れ図である。
【０００８】
３１１において、ＧＲＡＹ成分が、原稿すなわち入力の非ブラック原色のＣ，Ｍ，Ｙ値の最小値に設定される。それらＣ，Ｍ，Ｙ値のそれぞれに対して、ＧＲＡＹは、該Ｃ，Ｍ，Ｙデータのグレーに寄与し、非ブラック原色のグレー成分と呼ぶことができる量の非ブラック原色を含む。
【０００９】
３１３において、ＧＲＡＹ成分が非ブラック原色の入力値Ｃ，Ｍ，Ｙのそれぞれから差し引かれ、ＧＲＡＹ成分が除去された非ブラック原色のバージョンであるＣ１，Ｍ１，Ｙ１に達する。
【００１０】
３１５においては、２次色レッド、グリーン及びブルーが、ＧＲＡＹ成分が除去された非ブラック原色値の適切な組み合わせ（Ｍ１，Ｙ１），（Ｃ１，Ｙ１），（Ｃ１，Ｍ１）の最小値に設定される。Ｃ，Ｍ，Ｙ値のそれぞれに対して、グリーンは特定のＣ，Ｍ，Ｙデータのグリーンの２次色に寄与する量のシアンとイエローを含み、ブルーは特定のＣ，Ｍ，Ｙデータのブルーの２次色に寄与する量のシアンとマゼンタを含み、レッドは特定のＣ，Ｍ，Ｙデータのレッドの２次色に寄与する量のマゼンタとイエローを含む。この実施例において、３１３において計算されるＣ１，Ｍ１，Ｙ１の少なくとも１つがゼロとなるので、Ｃ，Ｍ，Ｙ値の組のいずれについても、非ゼロの２次色は、多くても１つ存在するだけであることが分かる。２次色に寄与する非ブラック原色値の部分は、便宜上非ブラック原色値の２次色成分と呼ぶことができる（例えば、シアン色値のグリーン成分、シアン色値のブルー成分など）。呼称を簡単にするために、原色値の２次色成分は、ときには、原色の２次成分と呼ぶことができる（例えば、マゼンタのブルー成分、マゼンタのレッド成分など）。
【００１１】
３１７において、ＧＲＡＹ成分が除去された非ブラック原色値から適切な二次色成分を差し引くことによって、非ブラック原色値の各々の主成分が得られる。特に、グリーン及びブルーがＣ１から除去されてシアン色値Ｃの主成分Ｃ２が得られ、レッド及びブルーがＭ１から除去されてマゼンタ色値Ｍの主成分Ｍ２が得られ、レッド及びグリーンがＹ１から除去されてイエロー色値Ｙの主成分Ｙ２が得られる。この実施例において、Ｃ、Ｍ、Ｙ値は、多くても１つの二次色を形成するが、３１７における式は、３つの可能な二次色を含むように一般化される。
【００１２】
３１９又は３１９Ａ（図４）において、それぞれの調整された非ブラック原色値は、各非ブラック原色値に関して、グレーをバランスするためのグレーバランス化関連の原色ＴＲＣのそれぞれの寄与（グレーバランス化の寄与と呼ぶことができる）と、２次色関連の原色ＴＲＣのそれぞれの寄与（２次色の寄与と呼ぶことができる）と、主成分関連の原色ＴＲＣのそれぞれの寄与（主成分の寄与と呼ぶことができる）とを加え合わせることによって得られるが、ここで、ＴＲＣｓの各々の指標は元の原色値を有する。
【００１３】
特にシアンについては、３１９において、調整されたシアン色値Ｃａｄｊが次式で得られる：
2006341605.tif 000003
ここで（Ｃ２／Ｃ）は、シアン色値Ｃの主成分を含むシアン色値Ｃの分数割合又は相対量を含み、ｃ＿ｔｂｌ［］は、シアンを調整する（例えば線形化する）ための、１次元の主成分関連シアンＴＲＣを含み、（ｇｒｅｅｎ／Ｃ）は、シアン色値Ｃのグリーン成分を含むシアン色値Ｃの分数割合又は相対量を含み、ｇｒｅｅｎ＿Ｃ［］は、１次元のグリーン関連シアンＴＲＣを含み、（ｂｌｕｅ／Ｃ）は、シアン色値Ｃのブルー成分を含むシアン色値Ｃの分数割合又は相対量を含み、ｂｌｕｅ＿Ｃ［］は、１次元のブルー関連シアンＴＲＣを含み、（ＧＲＡＹ／Ｃ）は、シアン色値Ｃのグレー成分を含むシアン色値Ｃの分数割合又は相対量を含み、ｇｒａｙｂａｌ＿Ｃ［］は、グレーをバランスするための１次元のグレーバランス化関連シアンＴＲＣを含む。
【００１４】
このように、（Ｃ２／Ｃ）＊ｃ＿ｔｂｌ［Ｃ］は、シアンを調整するための主成分関連シアンＴＲＣの寄与を含み、ここで、シアン色値Ｃで指標付けされた主成分関連シアンＴＲＣ値であるｃ＿ｔｂｌ［Ｃ］は、シアン色値Ｃの主成分を含むシアン色値Ｃの相対量によって、スケール調整又は重み付けされている。（ｇｒｅｅｎ／Ｃ）＊ｇｒｅｅｎ＿Ｃ［Ｃ］は、グリーン関連シアンＴＲＣの寄与を含み、ここで、シアン色値Ｃで指標付けされたグリーン関連ＴＲＣ値であるｇｒｅｅｎ＿Ｃ［Ｃ］は、シアン色値Ｃのグリーン成分を含むシアン色値Ｃの相対量によって、スケール調整又は重み付けされている。（ｂｌｕｅ／Ｃ）＊ｂｌｕｅ＿Ｃ［Ｃ］は、ブルー関連シアンＴＲＣの寄与を含み、ここで、シアン色値Ｃで指標付けされたブルー関連シアンＴＲＣ値であるｂｌｕｅ＿Ｃ［Ｃ］は、シアン色値Ｃのブルー成分を含むシアン色値Ｃの相対量によって、スケール調整又は重み付けされている。（ＧＲＡＹ／Ｃ）＊ｇｒａｙｂａｌ＿Ｃ［Ｃ］は、グレーをバランスするためのグレーバランス化関連シアンＴＲＣの寄与を含み、ここで、グレーバランス化関連シアンＴＲＣ値であるｇｒａｙｂａｌ＿Ｃ［Ｃ］は、シアン色値Ｃのグレー成分を含むシアン色値Ｃの相対量によって、スケール調整又は重み付けされている。
【００１５】
３１９における第１式は次のように書き換えることができる。
2006341605.tif 000004
【００１６】
この式は、調整されたシアン値を計算するとき、Ｃによる割り算は各々の１次元ＴＲＣ値について行ってよいことを示す。従って、３１９Ａにおいて、正規化されたＴＲＣｓであるｃ‘＿ｔｂｌ［］，ｇｒｅｅｎ’＿Ｃ［］，ｂｌｕｅ’＿Ｃ［］及びｇｒａｙｂａｌ’＿Ｃ［］（ここで、ｃ’＿ｔｂｌ［Ｃ］＝ｃ＿ｔｂｌ［Ｃ］／Ｃ，ｇｒｅｅｎ’＿Ｃ［Ｃ］＝ｇｒｅｅｎ＿Ｃ［Ｃ］／Ｃ，ｂｌｕｅ’＿Ｃ［Ｃ］＝ｂｌｕｅ＿Ｃ［Ｃ］／Ｃ、及び、ｇｒａｙｂａｌ’＿Ｃ［Ｃ］＝ｇｒａｙｂａｌ＿Ｃ［Ｃ］／Ｃ）を用いて調整されたシアン色値Ｃａｄｊを得ることができる。
2006341605.tif 000005
ここで、Ｃ２は、シアンの主成分を含むシアン色値Ｃの量又は部分を含み、ｃ’＿ｔｂｌ［］は、シアンを調整する（例えば、線形化する）ための正規化された１次元の主成分関連シアンＴＲＣを含み、ｇｒｅｅｎは、シアン色値Ｃのグリーン成分を含み、ｇｒｅｅｎ’＿Ｃ［］は、正規化された１次元のグリーン関連シアンＴＲＣを含み、ｂｌｕｅは、シアン色値Ｃのブルー成分を含み、ｂｌｕｅ’＿Ｃ［］は、正規化された１次元のブルー関連シアンＴＲＣを含み、ＧＲＡＹは、シアン色値Ｃのグレー成分を含み、ｇｒａｙｂａｌ’＿Ｃ［］は、正規化された１次元の、グレーをバランスするためのグレーバランス化関連シアンＴＲＣを含む。
【００１７】
このように、Ｃ２＊ｃ’＿ｔｂｌ［Ｃ］は、シアンを調整する（例えば、線形化する）ための正規化された主成分関連シアンＴＲＣを含み、ここで、シアン色値Ｃで指標付けされた正規化された主成分関連シアンＴＲＣ値であるｃ’＿ｔｂｌ［Ｃ］は、シアン色値Ｃの主成分を含むシアン色値Ｃの量によってスケール調整又は重み付けされている。（ｇｒｅｅｎ）＊ｇｒｅｅｎ’＿Ｃ［Ｃ］は、正規化されたグリーン関連シアンＴＲＣの寄与を含み、ここで、シアン色値Ｃで指標付けされた正規化されたグリーン関連シアンＴＲＣ値であるｇｒｅｅｎ’＿Ｃ［Ｃ］は、シアン色値Ｃのグリーン成分を含むシアン色値Ｃの量によってスケール調整又は重み付けされている。（ｂｌｕｅ）＊ｂｌｕｅ’＿Ｃ［Ｃ］は、正規化されたブルー関連シアンＴＲＣの寄与を含み、ここで、シアン色値Ｃで指標付けされた正規化されたブルー関連シアンＴＲＣ値であるｂｌｕｅ’＿Ｃ［Ｃ］は、シアン色値Ｃのブルー成分を含むシアン色値の量によってスケール調整又は重み付けされている。（ＧＲＡＹ）＊ｇｒａｙｂａｌ’＿Ｃ［Ｃ］は、正規化されたグレーバランス化関連シアンＴＲＣの寄与を含み、ここで、正規化されたグレーバランス化関連シアンＴＲＣ値であるｇｒａｙｂａｌ’＿Ｃ［Ｃ］は、シアン色値Ｃのグレー成分を含むシアン色値の量によってスケール調整又は重み付けされている。
【００１８】
特にマゼンタに関して、３１９において、調整されたマゼンタ色値Ｍａｄｊは次式によって得ることができる。
2006341605.tif 000006
ここで（Ｍ２／Ｍ）は、マゼンタ色値Ｍの主成分を含むマゼンタ色値Ｍの分数割合又は相対量を含み、ｍ＿ｔｂｌ［］は、マゼンタを調整する（例えば、線形化する）ための一次元の主成分関連マゼンタＴＲＣを含み、（ｒｅｄ／Ｍ）は、マゼンタ色値Ｍのレッド成分を含むマゼンタ色値Ｍの分数割合又は相対量を含み、ｒｅｄ＿Ｍ［］は、１次元のレッド関連マゼンタＴＲＣを含み、（ｂｌｕｅ／Ｍ）は、マゼンタ色値Ｍのブルー成分を含むマゼンタ色値Ｍの分数割合又は相対量を含み、ｂｌｕｅ＿Ｍ［］は、１次元のブルー関連マゼンタＴＲＣを含み、（ＧＲＡＹ／Ｍ）は、マゼンタ色値Ｍのグレー成分を含むマゼンタ色値Ｍの分数割合又は相対量を含み、ｇｒａｙｂａｌ＿Ｍ［］は、グレーをバランスするための１次元のグレーバランス化関連マゼンタＴＲＣを含む。
【００１９】
このように、（Ｍ２／Ｍ）＊ｍ＿ｔｂｌ［Ｍ］は、マゼンタを調整するための主成分関連マゼンタＴＲＣの寄与を含み、ここで、マゼンタ色値Ｍで指標付けされた主成分関連マゼンタＴＲＣ値であるｍ＿ｔｂｌ［Ｍ］は、マゼンタ色値Ｍの主成分を含むマゼンタ色値Ｍの相対量によって、スケール調整又は重み付けされている。（ｒｅｄ／Ｍ）＊ｒｅｄ＿Ｍ［Ｍ］は、レッド関連マゼンタＴＲＣの寄与を含み、ここで、マゼンタ色値Ｍで指標付けされたレッド関連マゼンタＴＲＣ値であるｒｅｄ＿Ｍ［Ｍ］は、マゼンタ色値Ｍのレッド成分を含むマゼンタ色値Ｍの相対量によって、スケール調整又は重み付けされている。（ｂｌｕｅ／Ｍ）＊ｂｌｕｅ＿Ｍ［Ｍ］は、ブルー関連マゼンタＴＲＣの寄与を含み、ここで、マゼンタ色値Ｍで指標付けされたブルー関連マゼンタＴＲＣ値であるｂｌｕｅ＿Ｍ［Ｍ］は、マゼンタ色値Ｍのブルー成分を含むマゼンタ色値Ｍの相対量によって、スケール調整又は重み付けされている。（ＧＲＡＹ／Ｍ）＊ｇｒａｙｂａｌ＿Ｍ［Ｍ］は、グレーをバランスするためのグレーバランス化関連マゼンタＴＲＣの寄与を含み、ここで、グレーバランス化関連マゼンタＴＲＣ値であるｇｒａｙｂａｌ＿Ｍ［Ｍ］は、マゼンタ色値Ｍのグレー成分を含むマゼンタ色値Ｍの相対量によって、スケール調整又は重み付けされている。
【００２０】
３１９における第２式は次のように書き換えることができる。
2006341605.tif 000007
【００２１】
この式は、調整されたマゼンタ値を計算するとき、Ｍによる割り算は各々の１次元ＴＲＣ値について行ってよいことを示す。従って、３１９Ａにおいて、正規化されたＴＲＣｓであるｍ’＿ｔｂｌ［］，ｒｅｄ’＿Ｍ［］，ｂｌｕｅ’＿Ｍ［］及びｇｒａｙｂａｌ’＿Ｍ［］（ここで、ｍ’＿ｔｂｌ［Ｍ］＝ｍ＿ｔｂｌ［Ｍ］／Ｍ，ｒｅｄ’＿Ｍ［Ｍ］＝ｒｅｄ＿Ｍ［Ｍ］／Ｍ，ｂｌｕｅ’＿Ｍ［Ｍ］＝ｂｌｕｅ＿Ｍ［Ｍ］／Ｍ、及び、ｇｒａｙｂａｌ’＿Ｍ［Ｍ］＝ｇｒａｙｂａｌ＿Ｍ［Ｍ］／Ｍ）を用いて調整されたマゼンタ色値Ｍａｄｊを得ることができる。
2006341605.tif 000008
ここで、Ｍ２は、マゼンタの主成分を含むマゼンタ色値Ｍの量又は部分を含み、ｍ’＿ｔｂｌ［］は、マゼンタを調整する（例えば、線形化する）ための正規化された１次元の主成分関連マゼンタＴＲＣを含み、ｒｅｄは、マゼンタ色値Ｍのレッド成分を含み、ｒｅｄ’＿Ｍ［］は、正規化された１次元のレッド関連マゼンタＴＲＣを含み、ｂｌｕｅは、マゼンタ色値Ｍのブルー成分を含み、ｂｌｕｅ’＿Ｍ［］は、正規化された１次元のブルー関連マゼンタＴＲＣを含み、ＧＲＡＹは、マゼンタ色値Ｍのグレー成分を含み、ｇｒａｙｂａｌ’＿Ｍ［］は、正規化された１次元の、グレーをバランスするためのグレーバランス化関連マゼンタＴＲＣを含む。
【００２２】
このように、Ｍ２＊ｍ’＿ｔｂｌ［Ｍ］は、マゼンタを調整する（例えば、線形化する）ための正規化された主成分関連マゼンタＴＲＣを含み、ここで、マゼンタ色値Ｍで指標付けされた正規化された主成分関連マゼンタＴＲＣ値であるｍ’＿ｔｂｌ［Ｍ］は、マゼンタ色値Ｍの主成分を含むマゼンタ色値Ｍの量によってスケール調整又は重み付けされている。（ｒｅｄ）＊ｒｅｄ’＿Ｍ［Ｍ］は、正規化されたレッド関連マゼンタＴＲＣの寄与を含み、ここで、マゼンタ色値Ｍで指標付けされた正規化されたレッド関連マゼンタＴＲＣ値であるｒｅｄ’＿Ｍ［Ｍ］は、マゼンタ色値Ｍのレッド成分を含むマゼンタ色値Ｍの量によってスケール調整又は重み付けされている。（ｂｌｕｅ）＊ｂｌｕｅ’＿Ｍ［Ｍ］は、正規化されたブルー関連マゼンタＴＲＣの寄与を含み、ここで、マゼンタ色値Ｍで指標付けされた正規化されたブルー関連マゼンタＴＲＣ値であるｂｌｕｅ’＿Ｍ［Ｍ］は、マゼンタ色値Ｍのブルー成分を含むマゼンタ色値Ｍの量によってスケール調整又は重み付けされている。（ＧＲＡＹ）＊ｇｒａｙｂａｌ’＿Ｍ［Ｍ］は、正規化されたグレーバランス化関連マゼンタＴＲＣの寄与を含み、ここで、正規化されたグレーバランス化関連マゼンタＴＲＣ値であるｇｒａｙｂａｌ’＿Ｍ［Ｍ］は、マゼンタ色値Ｍのグレー成分を含むマゼンタ色値Ｍの量によってスケール調整又は重み付けされている。
【００２３】
特にイエローに関して、３１９において、調整されたイエロー色値Ｙａｄｊは次式によって得ることができる。
2006341605.tif 000009
ここで（Ｙ２／Ｙ）は、イエロー色値Ｙの主成分を含むイエロー色値Ｙの分数割合又は相対量を含み、ｙ＿ｔｂｌ［］は、イエローを調整する（例えば、線形化する）ための１次元の主成分関連イエローＴＲＣを含み、（ｒｅｄ／Ｙ）は、イエロー色値Ｙのレッド成分を含むイエロー色値Ｙの分数割合又は相対量を含み、ｒｅｄ＿Ｙ［］は、１次元のレッド関連イエローＴＲＣを含み、（ｇｒｅｅｎ／Ｙ）は、イエロー色値Ｙのグリーン成分を含むイエロー色値Ｙの分数割合又は相対量を含み、ｇｒｅｅｎ＿Ｙ［］は、１次元のグリーン関連イエローＴＲＣを含み、（ＧＲＡＹ／Ｙ）は、イエロー色値Ｙのグレー成分を含むイエロー色値Ｙの分数割合又は相対量を含み、ｇｒａｙｂａｌ＿Ｙ［］は、グレーをバランスするための１次元のグレーバランス化関連イエローＴＲＣを含む。
【００２４】
このように、（Ｙ２／Ｙ）＊ｙ＿ｔｂｌ［Ｙ］は、イエローを調整するための主成分関連イエローＴＲＣの寄与を含み、ここで、イエロー色値Ｙで指標付けされた主成分関連イエローＴＲＣ値であるｙ＿ｔｂｌ［Ｙ］は、イエロー色値Ｙの主成分を含むイエロー色値Ｙの相対量によって、スケール調整又は重み付けされている。（ｒｅｄ／Ｙ）＊ｒｅｄ＿Ｙ［Ｙ］は、レッド関連イエローＴＲＣの寄与を含み、ここで、イエロー色値Ｙで指標付けされたレッド関連イエローＴＲＣ値であるｒｅｄ＿Ｙ［Ｙ］は、イエロー色値Ｙのレッド成分を含むイエロー色値Ｙの相対量によって、スケール調整又は重み付けされている。（ｇｒｅｅｎ／Ｙ）＊ｇｒｅｅｎ＿Ｙ［Ｙ］は、グリーン関連イエローＴＲＣの寄与を含み、ここで、イエロー色値Ｙで指標付けされたグリーン関連イエローＴＲＣ値であるｇｒｅｅｎ＿Ｙ［Ｙ］は、イエロー色値Ｙのグリーン成分を含むイエロー色値Ｙの相対量によって、スケール調整又は重み付けされている。（ＧＲＡＹ／Ｙ）＊ｇｒａｙｂａｌ＿Ｙ［Ｙ］は、グレーをバランスするためのグレーバランス化関連イエローＴＲＣの寄与を含み、ここで、グレーバランス化関連イエローＴＲＣ値であるｇｒａｙｂａｌ＿Ｙ［Ｙ］は、イエロー色値Ｙのグレー成分を含むイエロー色値Ｙの相対量によって、スケール調整又は重み付けされている。
【００２５】
３１９における第３式は次のように書き換えることができる。
2006341605.tif 000010
【００２６】
この式は、調整されたマイエロー値を計算するとき、Ｙによる割り算は各々の１次元ＴＲＣ値について行ってよいことを示す。従って、３１９Ａにおいて、正規化されたＴＲＣｓであるｙ’＿ｔｂｌ［］，ｒｅｄ’＿Ｙ［］，ｇｒｅｅｎ’＿Ｙ［］及びｇｒａｙｂａｌ’＿Ｙ［］（ここで、ｙ’＿ｔｂｌ［Ｙ］＝ｙ＿ｔｂｌ［Ｙ］／Ｙ，ｒｅｄ’＿Ｙ［Ｙ］＝ｒｅｄ＿Ｙ［Ｙ］／Ｙ，ｇｒｅｅｎ’＿Ｙ［Ｙ］＝ｇｒｅｅｎ＿Ｙ［Ｙ］／Ｙ、及び、ｇｒａｙｂａｌ’＿Ｙ［Ｙ］＝ｇｒａｙｂａｌ＿Ｙ［Ｙ］／Ｙ）を用いて調整されたイエロー色値Ｙａｄｊを得ることができる。
2006341605.tif 000011
ここで、Ｙ２は、イエローの主成分を含むイエロー色値Ｙの量又は部分を含み、ｙ’＿ｔｂｌ［］は、イエローを調整する（例えば、線形化する）ための正規化された１次元の主成分関連イエローＴＲＣを含み、ｒｅｄは、イエロー色値Ｙのレッド成分を含み、ｒｅｄ’＿Ｙ［］は、正規化された１次元のレッド関連イエローＴＲＣを含み、ｇｒｅｅｎは、イエロー色値Ｙのグリーン成分を含み、ｇｒｅｅｎ’＿Ｙ［］は、正規化された１次元のグリーン関連イエローＴＲＣを含み、ＧＲＡＹは、イエロー色値Ｙのグレー成分を含み、ｇｒａｙｂａｌ’＿Ｙ［］は、正規化された１次元の、グレーをバランスするためのグレーバランス化関連イエローＴＲＣを含む。
【００２７】
このように、Ｙ２＊ｙ’＿ｔｂｌ［Ｙ］は、イエローを調整する（例えば、線形化する）ための正規化された主成分関連イエローＴＲＣを含み、ここで、イエロー色値Ｙで指標付けされた正規化された主成分関連イエローＴＲＣ値であるｙ’＿ｔｂｌ［Ｙ］は、イエロー色値Ｙの主成分を含むイエロー色値Ｙの量によってスケール調整又は重み付けされている。（ｒｅｄ）＊ｒｅｄ’＿Ｙ［Ｙ］は、正規化されたレッド関連イエローＴＲＣの寄与を含み、ここで、イエロー色値Ｙで指標付けされた正規化されたレッド関連イエローＴＲＣ値であるｒｅｄ’＿Ｙ［Ｙ］は、イエロー色値Ｙのレッド成分を含むイエロー色値Ｙの量によってスケール調整又は重み付けされている。（ｇｒｅｅｎ）＊ｇｒｅｅｎ’＿Ｙ［Ｙ］は、正規化されたグリーン関連イエローＴＲＣの寄与を含み、ここで、イエロー色値Ｙで指標付けされた正規化されたグリーン関連イエローＴＲＣ値であるｇｒｅｅｎ’＿Ｙ［Ｙ］は、イエロー色値Ｙのグリーン成分を含むイエロー色値Ｙの量によってスケール調整又は重み付けされている。（ＧＲＡＹ）＊ｇｒａｙｂａｌ’＿Ｙ［Ｙ］は、正規化されたグレーバランス化関連イエローＴＲＣの寄与を含み、ここで、正規化されたグレーバランス化関連イエローＴＲＣ値であるｇｒａｙｂａｌ’＿Ｙ［Ｙ］は、イエロー色値Ｙのグレー成分を含むイエロー色値Ｙの量によってスケール調整又は重み付けされている。
【００２８】
一般に、各々の非ブラック原色に関しては、グレー部分又は成分、２次色部分又は成分、及び、主部分又は成分が決定される。ゼロでない非ブラック原色は、１つ又はそれ以上のそれらの成分を含むことができる。各々の非ブラック原色に対して、例えば、原色値をＴＲＣｓ中の指標として用い、特定成分が含む非ブラック原色の量（例えば、ＴＲＣｓの値に依存する、相対的又は絶対的な）を用いてＴＲＣ値をスケール調整することによって、グレーバランス化関連原色ＴＲＣの寄与が決められ、２次色関連原色ＴＲＣの寄与が決められ、主成分関連原色ＴＲＣの寄与がきめられる。調整された非ブラック原色値は、主成分関連原色ＴＲＣの寄与と、２次色関連原色ＴＲＣの寄与と、グレーバランス化関連原色ＴＲＣの寄与とを組み合わせることによって得られる。
【００２９】
図２の１１５及び１１６における調整に関しては、ＴＲＣｓの各組は、１次元グレーバランス化関連原色ＴＲＣｓと、１次元主成分関連原色ＴＲＣｓと、上述のように用いられる１次元の２次色関連原色ＴＲＣｓとを含むことができる。
【００３０】
図５は、単一セットのカラー・テーブルと共に使用できる、第１組の１次元ＴＲＣｓ及び第２組の１次元ＴＲＣｓを発生させるための手続の一実施形態に関する概略の流れ図である。２１１においては、例えば、最高印刷品質又は最高解像度モードのためなど、第１のプリント解像度モードのためにＴＲＣｓの第１組が発生させされる。１次元ＴＲＣｓの第１組は、例えば、主成分関連原色ＴＲＣｓと、２次色関連原色ＴＲＣｓと、グレーバランス化関連原色ＴＲＣｓとを含むことができる。２１３においては、例えば、最高印刷解像度モードより低い印刷解像度モードなど、第１の印刷解像度モードとは異なる第２の印刷解像度モードのために、第２組のＴＲＣｓが発生させられるが、ここで、第２組のＴＲＣｓは、第２組のＴＲＣｓを用いて与えられるカラー出力が、第１組のＴＲＣｓを用いて与えられるカラー出力に実質的に比色的に一致するように設定される。
【００３１】
主成分関連原色ＴＲＣの寄与を与えるようにスケール調整される第１組の１次元主成分関連原色ＴＲＣｓは、シアン・パッチ、マゼンタ・パッチ、及びイエロー・パッチを種々の範囲で印刷し、それらをＬ*、ΔＥなどに基づいて線形化することによって、得ることができる。
【００３２】
グリーン関連のシアン及びイエローＴＲＣの寄与を与えるようにスケール調整される第１組の１次元グリーン関連シアン及びイエローＴＲＣｓは、グリーンパッチを種々の範囲で印刷し、それらをＬ*、ΔＥなどに基づいて線形化することによって得ることができる。この手続きは、シアン及びイエロー成分に主成分関連１次元ＴＲＣｓを適用せずに行うことができる。或いは、この手続きは、シアン及びイエロー成分に適用された主成分関連１次元ＴＲＣｓを用いて行うこともできる。例えば、Ｃ，Ｍ，Ｙ，Ｋに関するＴＲＣｓは、ハーフトーンしきい値配列中に組み入れることができて、その結果、既にＣ及びＹに適用された主成分関連ＴＲＣｓと共にグリーンＴＲＣｓが発生させられる。例えば、所期の較正に応じて、グリーン関連シアン及び／又はイエローＴＲＣｓ中に色調調整を組み入れて、グリーンをよりシアンに近く、又はよりイエローに近くすることができる。もし、グリーンに対する色調調整を行わないならば、ｇｒｅｅｎ＿Ｃ［］とｇｒｅｅｎ＿Ｙ［］とは同一とし、ｇｒｅｅｎ’＿Ｃ［］とｇｒｅｅｎ’＿Ｙ［］とは同一とすることができる。
【００３３】
第１組の１次元ブルー関連シアン又はマゼンタＴＲＣｓ、及びレッド関連マゼンタ及びイエローＴＲＣｓは、同様に、例えば、１次元主成分関連原色ＴＲＣｓを適用せずに、得ることができる。
【００３４】
別の印刷モードのための第２組のＴＲＣｓを発生するためには、第１組のＴＲＣｓの発生と同様に、該プリントモードのために先ず第１組のＴＲＣｓをＬ*、ΔＥなどに基づいて線形化することができる。或いは、第１印刷モードにおける第１ＴＲＣｓに関するＬ*，ａ*，ｂ*値を、第２印刷モードのための目標値として用いてもよい。例えば、第２印刷モードにおける３０％シアンに対しては、これを第１印刷モードにおける３０％シアンに比色的に一致させるように試みることができる。グレーバランス化ＴＲＣｓもまた、第１組のＴＲＣｓと同じ方法で発生させることができる。或いは、第１印刷モードにおけるバランス化されたグレーに関するＬ*，ａ*，ｂ*値を、第２印刷モードのための目標値として用いることもできる。例えば、第２印刷モードにおける３０％混合グレー（等量のＣ，Ｍ及びＹから構成される）に対しては、これを第１印刷モードにおける３０％バランス化グレーに比色的に一致させるように試みることができる。第２のＴＲＣｓを発生させるためには、初めにＴＲＣｓ上の各データ点に関する目標値が設定される。例えば、３０％グリーンに関しては、まず適切なＬ*，ａ*，ｂ*値を見出す必要がある。Ｌ*値は、種々のパーセンテイジにおいて出力されるグリーンが、Ｌ*測定値に基づいて線形化されていると仮定して得ることができる。一例として、もし０％グリーン（ペーパーホワイト）がＬ*値で９５．０、１００％グリーンがＬ*値で４５．０であるとすると、これら２つの点は、Ｘをグリーン・パーセンテイジ、Ｌ*を目標値のＬ*値として、Ｌ*＝−（９５．０−４５．０）*Ｘ＋９５．０  によって定義される線上に乗る。従って、３０％グリーンに対しては、この場合の目標値のＬ*値は、Ｌ*＝−（９５−４５）*０．３＋９５＝８０．０となる。３０％グリーンに対する目標値のａ*，ｂ*値を設定する方法の一つは、第２印刷モードにおける３０％グリーンと同じ明度をもつ第１印刷モード中のグリーンを見出すことである。例えば、第１印刷モードにおいて、２５％グリーンがＬ*，ａ*，ｂ*値として８０．０、−１７．０，８．０をもち、これが、第２印刷モードに関する３０％グリーンと同じ明度をもつとしよう。すると、８０．０、−１７．０，８．０が第２印刷モードにおける３０％グリーンに対する目標値のＬ*，ａ*，ｂ*値として用いられる。第２印刷モードにおける８０．０、−１７．０，８．０のＬ*，ａ*，ｂ*値を生じるインク混合を見出すために、比色適合法が用いられる。一例として、もし３２％シアンと２７％イエローとの和が第２印刷モードにおける８０．０、−１７．０，８．０のＬ*，ａ*，ｂ*値を生じるとすると、ｇｒｅｅｎ＿Ｃ及びｇｒｅｅｎ＿Ｙの２つのＴＲＣｓ上のデータ点を得たことになる。ｇｒｅｅｎ＿Ｃに関するデータ点は（０．３，０．３２）（０．３は入力、０．３２は出力）であり、ｇｒｅｅｎ＿Ｙに関するデータ点は（０．３，０．２７）である。第２印刷モードにおける３０％グリーンに対する目標値のＬ*，ａ*，ｂ*値を設定するためのもう一つの方法は、第１印刷モードにおける３０％グリーンに関するＬ*，ａ*，ｂ*値を用いることである。例えば、もし第１印刷モードにおける３０％グリーンがＬ*，ａ*，ｂ*値として７７．０，−２０．０，１１．０をもつならば、この値のセットを第２モードにおける３０％グリーンに関する目標値のＬ*，ａ*，ｂ*値として用い、次に、このＬ*，ａ*，ｂ*値のセットを生じるカラー混合を見出すために比色適合法を用いることができる。このように、第２組のＴＲＣｓは、第２印刷モード出力が比色的に第１印刷モード出力に一致するように設定される。第２組のＴＲＣｓは、それぞれの印刷出力が比色的に一致すると言う意味で第１組のＴＲＣｓに比色的に一致していると考えてよい。
【００３５】
当初提示された、そして補正されることもある特許請求の範囲は、現時点で予想されない又は認識されていないもの、及び、例えば、出願人／特許権者その他の者から生み出されることがあるものを含め、ここに開示された実施形態及び教示に関する変形、代替、修正、改良、均等物及び実質的均等物をも包含する。
【図面の簡単な説明】
【００３６】
【図１】印刷システムの一実施形態の概略ブロック図である。
【図２】画像処理パイプラインの一実施形態の概略図である。
【図３】各々の非ブラック原色に関する複数の１次元ルックアップ・テーブルを用いて、非ブラック原色を調整する手続の一実施形態に関する概略の流れ図である。
【図４】図３の手続において使用できる代替計算の一実施形態である。
【図５】一組のカラー・テーブルと共に使用可能な、１次元ＴＲＣの第１及び第２組を発生させる手続の一実施形態に関する概略の流れ図である。
【符号の説明】
【００３７】
３１：インターフェース
３３：バッファ
３５：プロセッサ
３７：メモリ
３９：印刷エンジン
【図１】
2006341605.tif 000012
【図２】
2006341605.tif 000013
【図３】
2006341605.tif 000014
【図４】
2006341605.tif 000015
【図５】
2006341605.tif 000016